(57)【要約】【課題】  依頼人から受取人に対して何らかの処理を行なう場合に、電子メールアドレス以外の受取人の個人情報を依頼人に知られることなく当該処理を実現する。【解決手段】  本発明は、依頼人からの受取人の電子メールアドレス及び依頼情報を受信し、受信した電子メールアドレスに、依頼情報に対する識別情報を生成し送信する。その後、受取人から前記電子メールアドレス及び前記識別情報を受信し、受信した電子メールアドレス及び識別情報を使用して、前記受取人の認証を行ない、認証が成立した場合に、受取人の個人情報を受信する。そして、受信された依頼情報に基づく処理を前記受信した個人情報に基づいて実行する。【選択図】      図６
2006099661.tif 000002
【特許請求の範囲】
【請求項１】
依頼人からの受取人の電子メールアドレス及び依頼情報を受信する手段と、
前記受信した電子メールアドレスに、前記依頼情報に対する識別情報を生成し送信する手段と、
前記受取人から前記電子メールアドレス及び前記識別情報を受信する手段と、
前記受信した電子メールアドレス及び識別情報を使用して、前記受取人の認証を行なう手段と、
前記認証が成立した場合に、受取人の個人情報を受信する手段と、
前記受信された依頼情報に基づく処理を前記受信した個人情報に基づいて実行する手段と
を具備することを特徴とする受取人情報秘匿装置。
【請求項２】
前記依頼情報は、依頼人の引落口座、依頼人名、及び振込み金額を示す情報を含み、
前記個人情報は、受取人の口座に関する情報を含み、
前記依頼情報に基づく処理は振込処理であることを特徴とする請求項１記載の受取人情報秘匿装置。
【請求項３】
前記依頼情報は、宅配商品を示す情報を含み、
前記個人情報は、受取人の住所に関する情報を含み、
前記依頼情報に基づく処理は宅配処理であることを特徴とする請求項１記載の受取人情報秘匿装置。
【請求項４】
受取人の電子メールアドレスと識別情報とが関連して記録されたデータベースをさらに具備し、
前記認証手段は、
前記受信した電子メールアドレス及び識別情報の組が前記データベースに記録されていた場合に認証が成立することを特徴とする請求項１記載の受取人情報秘匿装置。
【請求項５】
依頼人からの受取人の電子メールアドレス及び依頼情報を受信し、
前記受信した電子メールアドレスに、前記依頼情報に対する識別情報を生成し送信し、
前記受取人から前記電子メールアドレス及び前記識別情報を受信し、
前記受信した電子メールアドレス及び識別情報を使用して、前記受取人の認証を行ない、
前記認証が成立した場合に、受取人の個人情報を受信し、
前記受信された依頼情報に基づく処理を前記受信した個人情報に基づいて実行することを特徴とする受取人情報秘匿方法。
【発明の詳細な説明】
【技術分野】
【０００１】
本発明は、受取人情報を秘匿することができる受取人情報秘匿装置に関する。
【背景技術】
【０００２】
近年のネットワーク技術の発達に伴ない、例えば、ネットワーク上で懸賞の募集を行なうと同時に、懸賞品の受け渡しなどを行なうために懸賞応募者の個人情報（例えば、住所、氏名、電話番号、金融機関の口座番号など）を懸賞実施企業が取得する場合など、個人情報が広く第三者に対して流通している。
【発明の開示】
【発明が解決しようとする課題】
【０００３】
しかしながら、個人情報が第三者に対して流通することは、それだけ個人情報の第三者による悪用などによる預金の引落しなどのリスクが増大してしまうという問題が発生することになるので好ましくない。
【０００４】
本発明は、上記実情に鑑みてなされたものであり、依頼人から受取人に対して何らかの処理を行なう場合に、電子メールアドレス以外の受取人の個人情報を依頼人に知られることなく当該処理を実現することができる受取人情報秘匿装置を提供することを目的とする。
【課題を解決するための手段】
【０００５】
上記目的を達成するために、本発明の第１の発明によれば、依頼人からの受取人の電子メールアドレス及び依頼情報を受信する手段と、前記受信した電子メールアドレスに、前記依頼情報に対する識別情報を生成し送信する手段と、前記受取人から前記電子メールアドレス及び前記識別情報を受信する手段と、前記受信した電子メールアドレス及び識別情報を使用して、前記受取人の認証を行なう手段と、前記認証が成立した場合に、受取人の個人情報を受信する手段と、前記受信された依頼情報に基づく処理を前記受信した個人情報に基づいて実行する手段とを具備することを特徴とする受取人情報秘匿装置、である。
【０００６】
また、本発明の第２の発明によれば、第１の発明において、受取人の電子メールアドレスと識別情報とが関連して記録されたデータベースをさらに具備し、前記認証手段は、前記受信した電子メールアドレス及び識別情報の組が前記データベースに記録されていた場合に認証が成立することを特徴とする受取人情報秘匿装置、である。
【０００７】
さらに、本発明の第３の発明によれば、依頼人からの受取人の電子メールアドレス及び依頼情報を受信し、前記受信した電子メールアドレスに、前記依頼情報に対する識別情報を生成し送信し、前記受取人から前記電子メールアドレス及び前記識別情報を受信し、前記受信した電子メールアドレス及び識別情報を使用して、前記受取人の認証を行ない、前記認証が成立した場合に、受取人の個人情報を受信し、前記受信された依頼情報に基づく処理を前記受信した個人情報に基づいて実行することを特徴とする受取人情報秘匿方法、である。
【発明の効果】
【０００８】
本発明によれば、依頼人から受取人に対して何らかの処理を行なう場合に、電子メールアドレス以外の受取人の個人情報を依頼人に知られることなく当該処理を実現することができる。
【発明を実施するための最良の形態】
【０００９】
以下、図面を参照して、本発明の実施の形態に係る受取人情報秘匿装置について説明する。
【００１０】
図１は、本発明の実施の形態に係る受取人情報秘匿装置の機能を有するネットバンクシステムが使用される環境を説明するための図である。
【００１１】
同図に示すように、インターネット１にはネットバンクシステムサーバ２、受取人端末３及び依頼人端末４が接続されている。
【００１２】
ネットバンクシステムサーバ２は、ネットバンクに必要な機能の他、本発明の実施の形態に係る受取人情報秘匿装置の機能を有する。
【００１３】
受取人端末３は、振込み依頼人からの依頼情報を受け取るとともに入力された受取人の個人情報をネットバンクシステムサーバ２に送信する受取人の端末である。
【００１４】
振込依頼人端末４は、振込を依頼する振込人の端末であり、インターネット１を介してネットバンクシステムサーバ２と通信を行う端末である。
【００１５】
図２はネットバンクシステムサーバの構成を示す図である。
【００１６】
同図に示すように、ネットバンクシステムサーバ２は、バス２１にＣＰＵ２２、通信部２３、表示部２４、メモリ２５、入力部２６及び記憶装置２７が接続されている。
【００１７】
ＣＰＵ２２は、記憶装置２７に記憶された口座情報秘匿決済プログラム３１などと協働して、本発明の実施の形態に係るネットバンクシステムサーバ２の処理全体を司るものである。
【００１８】
通信部２３は、インターネット１を介した外部装置との通信の制御を司る。
【００１９】
表示部２４は、例えば、液晶ディスプレイである。
【００２０】
メモリ２５は、口座情報秘匿決済プログラム３１などを実行する際に必要とされるワークエリアなどとして使用される。
【００２１】
入力部２６は、数値などを入力するためのインターフェイスであり、例えば、キーボードである。
【００２２】
記憶装置２７は、口座情報秘匿決済処理に必要とされるデータを格納するためのものであり、例えば、ハードディスクドライブ（ＨＤＤ）である。この記憶装置２７には、口座情報秘匿決済プログラム３１及びデータベース３２が格納されている。
【００２３】
口座情報秘匿決済プログラム３１は、ＣＰＵ２２と協働して、本発明の実施の形態に係る受取人情報秘匿決済処理を実現するものであって、図６に示すフローチャートの処理を実現するものである。
【００２４】
データベース３２は、受取人情報秘匿決済処理を行なうために必要とされるデータを格納するものである。図３は、データベースに含まれるデータ構造を説明するための図である。同図に示すように、データベース３２には、受取人の電子メールアドレス４１、依頼情報４２、PIN(Personal Identification Number)４３及び個人情報４４が関連付けられて記録されている。
【００２５】
依頼情報４２は、図４に示すように、振込に関して必要とされる情報のうち依頼者側の情報であり、例えば、引落口座、依頼人名及び振込金額などを示す情報である。
【００２６】
個人情報４４は、図５に示すように、振込に関して必要とされる情報のうち、振込先の個人情報であり、振込先銀行名、振込先口座種別、振込先口座番号及び被振込人名などの情報である。
【００２７】
次に、本発明の実施の形態に係る受取人情報秘匿装置の動作について、図６のフローチャートを参照して説明する。
【００２８】
振込依頼人は、ネットバンクシステムサーバ２が提供するサイト上で、振込依頼人端末４を利用して、引落口座、振込依頼人名、振り込み金額などの依頼情報、及び受取人の電子メールアドレスを入力する（Ｓ１）。なお、ここで入力される情報には、受取人の電子メールアドレス以外の口座情報などの受取人の個人情報は含まれない。
【００２９】
そして、この依頼情報および受取人の電子メールアドレスは振込依頼人端末４からネットバンクシステムサーバ２へ送信される（Ｓ２）。ネットバンクシステムサーバ２は、振込依頼人端末４から送信されてきた依頼情報及び電子メールアドレスを受信し（Ｓ３）、ＰＩＮ(Personal Identification Number)コードを生成する（Ｓ４）。このＰＩＮコードは、シリアル番号であってもよいし、その生成方法は問わない。そして、この生成されたＰＩＮコードは、図３に示すように、依頼情報、電子メールアドレスに関連付けられてデータベース３２に記録される。
【００３０】
次に、生成されたＰＩＮコードが、ネットバンクシステムサーバ２から受取人の電子メールアドレスを使用して受取人端末３へ送信される（Ｓ５）。
【００３１】
その後、ネットバンクシステムサーバ２が提供する認証サイトにアクセスし（Ｓ６）、ネットバンクシステムサーバから送信されたＰＩＮコード及び受取人端末３の電子メールアドレスを入力して、受取人端末３からネットバンクシステムサーバ２に送信する（Ｓ７）。
【００３２】
ネットバンクシステムサーバ２は、受取人端末３から送信されたＰＩＮコード及び電子メールアドレスを受信し（Ｓ８）、次に、認証が成立しているか否かの判断を行なう（Ｓ９）。この認証は、受信したＰＩＮコード及び電子メールアドレスの組がデータベースに記録されている場合に、認証が成立したと判断される。
【００３３】
Ｓ９において認証が成立していないと判断された場合には振込処理を終了する（Ｓ１０）。一方、Ｓ９において認証が成立した場合に、受取人の受取口座情報（個人情報）、例えば、振込先銀行名、振込先口座種別、振込先口座番号及び被振込人名などの情報を受取人端末３から入力し、ネットバンクシステムサーバ２に送信する（Ｓ１１）。
【００３４】
図７は、受取人が個人情報を入力するための画面の一例を示す図である。同図に示すように、受取人は受取人の個人情報を示す振込み先に関する情報を入力するための画面が表示され、依頼情報は入力された振込み情報があらかじめ表示される。
【００３５】
ネットバンクシステムサーバ２は、受取人端末３から送信されてきた個人情報を受信し（Ｓ１２）、図３に示すように、電子メールアドレス、依頼情報及びＰＩＮと関連付けて個人情報をデータベース３２に記録するとともに、依頼情報及び個人情報を使用して送金処理を実行する（Ｓ１３）。
【００３６】
従って、本発明の実施の形態に係る受取人情報秘匿装置によれば、受取人の電子メールアドレス以外の個人情報を依頼人に知られることなく振り込み処理を実現することができる。
【００３７】
また、受取人の口座が複数存在する場合であっても、振込口座は受取人の選択に委ねられているので、受け取りの都度、入金先を変えることができ、自由度の高い振込み処理システムを提供することができる。さらに、振込依頼人の情報を匿名にすることで、募金などの匿名の振込を実現することができる。
【００３８】
なお、本実施の形態においては振込み処理を例にとって説明したが、これに限られるものではなく、依頼者から受取人に対して何らかの処理を行なう場合について適用することができる。
【００３９】
次に、本発明をエスクロ宅配に適用した場合について説明する。
【００４０】
基本的なシステム構成は、図１乃至図３に示したものと同じである。
【００４１】
この場合、図８に示すように、図１に示したネットバンクシステムサーバ２がエスクロ宅配システムサーバ１０２、振込依頼人端末４が宅配依頼人端末４となる。
【００４２】
エスクロ宅配システムサーバ１０２は、エスクロ宅配に必要な機能の他、本発明の実施の形態に係る受取人情報秘匿装置の機能を有する。
【００４３】
受取人端末１０３は、宅配依頼人からの依頼情報を受け取るとともに入力された受取人の個人情報をエスクロ宅配システムサーバ１０２に送信する受取人の端末である。
【００４４】
宅配依頼人端末１０４は、宅配を依頼する依頼人の端末であり、インターネット１０１を介してエスクロ宅配システムサーバ１０２と通信を行う端末である。
【００４５】
また、図２における口座情報秘匿決済プログラム３１はエスクロ宅配受取人情報秘匿プログラムとなり、データベース３２における依頼情報は、図９に示すように、配送商品、商品受け渡し方法、取引期限などの受取人の個人情報を含まない配送情報となり、個人情報は、図１０に示すように、受取人の氏名、住所、電話番号などの配送情報となる。
【００４６】
次に、本発明の実施の形態に係る受取人情報秘匿装置の動作について、図１１のフローチャートを参照して説明する。
【００４７】
宅配依頼人は、エスクロ宅配システムサーバ１０２が提供するサイト上で、宅配依頼人端末１０４を利用して、配送商品、商品受け渡し方法及び取引期限などの依頼情報、及び受取人の電子メールアドレスを入力する（Ｓ１０１）。なお、ここで入力される情報には、受取人の電子メールアドレス以外の住所情報などの受取人の個人情報は含まれない。
【００４８】
そして、この依頼情報および受取人の電子メールアドレスは宅配依頼人端末１０４からエスクロ宅配システムサーバ１０２へ送信される（Ｓ１０２）。エスクロ宅配システムサーバ１０２は、宅配依頼人端末１０４から送信されてきた依頼情報及び電子メールアドレスを受信し（Ｓ１０３）、ＰＩＮ(Personal Identification Number)コードを生成する（Ｓ１０４）。このＰＩＮコードは、シリアル番号であってもよいし、電子メールアドレスを元に生成してもよいし、その生成方法は問わない。そして、この生成されたＰＩＮコードは、図３に示すように、依頼情報、電子メールアドレスに関連付けられてデータベース３２に記録される。
【００４９】
次に、生成されたＰＩＮコードが、エスクロ宅配システムサーバ１０２から受取人の電子メールアドレスを使用して受取人端末１０３へ送信される（Ｓ１０５）。
【００５０】
その後、エスクロ宅配システムサーバ１０２が提供する認証サイトにアクセスし（Ｓ１０６）、ネットバンクシステムサーバから送信されたＰＩＮコード及び受取人端末１０３の電子メールアドレスを入力して、受取人端末１０３からエスクロ宅配システムサーバ１０２に送信する（Ｓ１０７）。
【００５１】
エスクロ宅配システムサーバ１０２は、受取人端末１０３から送信されたＰＩＮコード及び電子メールアドレスを受信し（Ｓ１０８）、次に、認証が成立しているか否かの判断を行なう（Ｓ１０９）。この認証は、受信したＰＩＮコード及び電子メールアドレスの組がデータベースに記録されている場合に、認証が成立したと判断される。
【００５２】
Ｓ１０９において認証が成立していないと判断された場合には宅配処理を終了する（Ｓ１１０）。一方、Ｓ１０９において認証が成立した場合に、受取人の配送情報（個人情報）、例えば、受取人の氏名、住所、電話番号などの情報を受取人端末１０３から入力し、エスクロ宅配システムサーバ１０２に送信する（Ｓ１１１）。
【００５３】
エスクロ宅配システムサーバ１０２は、受取人端末１０３から送信されてきた個人情報を受信し（Ｓ１１２）、図３に示すように、電子メールアドレス、依頼情報及びＰＩＮと関連付けて個人情報をデータベース３２に記録するとともに、依頼情報及び個人情報を使用して宅配処理を実行する（Ｓ１１３）。
【００５４】
従って、本発明の実施の形態に係る受取人情報秘匿装置によれば、受取人の電子メールアドレス以外の個人情報を依頼人に知られることなく宅配処理を実現することができる。また、依頼人の情報を匿名にすることで、匿名の商品送付などを実現することができる。
【００５５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５６】
また、実施形態に記載した手法は、計算機（コンピュータ）に実行させることができるプログラム（ソフトウエア手段）として、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。
【図面の簡単な説明】
【００５７】
【図１】本発明の実施の形態に係る受取人情報秘匿装置の機能を有するネットバンクシステムが使用される環境を説明するための図である。
【図２】ネットバンクシステムサーバの構成を示す図である。
【図３】データベースの構造を示す図である。
【図４】依頼情報を説明するための図である。
【図５】個人情報を説明するための図である。
【図６】受取人情報秘匿決済処理を説明するためのフローチャートである。
【図７】受取人が個人情報を入力するための画面の一例を示す図である。
【図８】エスクロ宅配システムが使用される環境を説明するための図である。
【図９】依頼情報を説明するための図である。
【図１０】個人情報を説明するための図である。
【図１１】エスクロ宅配システムの動作を説明するためのフローチャートである。
【符号の説明】
【００５８】
１…インターネット、２…ネットバンクシステムサーバ、３…受取人端末、４…振込依頼人端末、２１…バス、２２…ＣＰＵ、２３…通信部、２４…表示部、２５…メモリ、２６…入力部、２７…記憶装置、３１…口座情報秘匿決済プログラム、３２…データベース、４１…電子メールアドレス、４２…依頼情報、４３…ＰＩＮ、４４…個人情報、１０１…インターネット，１０２…宅配依頼人端末，１０３…受取人端末。
【図１】
2006099661.tif 000003
【図２】
2006099661.tif 000004
【図３】
2006099661.tif 000005
【図４】
2006099661.tif 000006
【図５】
2006099661.tif 000007
【図６】
2006099661.tif 000008
【図７】
2006099661.tif 000009
【図８】
2006099661.tif 000010
【図９】
2006099661.tif 000011
【図１０】
2006099661.tif 000012
【図１１】
2006099661.tif 000013